(57)【要約】  【課題】  画像の品質を撮影後に自由に調整することができる撮影装置及び画像出力装置を提供する。  【解決手段】  撮影装置１は、ＣＣＤ１３１で撮影した画像について、逆光であるか否か又は光の色合い等、画像内の光の状態を判定し、判定した光の状態を示す状態情報を作成し、撮影した画像を表す画像データと状態情報とを互いに関連付けて記録媒体Ｍに記録する。一方、画像を出力する際には、撮影装置１又は画像出力装置は、画像データが表す画像に対して、画像データに関連付けられている状態情報に応じた内容のガンマ補正又はホワイトバランスの調整等の補正を施し、補正を施した画像を出力する。また補正の解除指示を受け付けた場合は、画像データが表す画像を補正せずに出力する。画像の補正を行うか否かを撮影後に選択できるので、画像の品質を撮影後に自由に調整することが可能となる。【選択図】        図１
2006050424.tif 000002
【特許請求の範囲】
【請求項１】
撮影手段と、該撮影手段が撮影した画像を表す画像データを作成する手段とを備える撮影装置において、
前記撮影手段が撮影した画像に基づいた光の状態を判定する判定手段と、
該判定手段が判定した光の状態を示す状態情報を作成する状態情報作成手段と、
前記画像データ及び前記状態情報を互いに関連付ける手段と
を備えることを特徴とする撮影装置。
【請求項２】
前記判定手段は、前記撮影手段が撮影した画像内での明暗の分布状態に基づいて、前記画像が逆光であるか否かを判定する逆光判定手段を有し、
前記状態情報作成手段は、前記逆光判定手段による判定結果を示す情報を含む状態情報を作成するように構成してあること
を特徴とする請求項１に記載の撮影装置。
【請求項３】
前記逆光判定手段は、
前記画像内の各部分での明るさを判定する手段と、
該手段が判定した前記明るさに基づいて、前記画像内での相対的な明暗の配置パターンを判定する手段と、
該手段が判定した前記配置パターンに基づいて、前記画像が逆光であるか否かを判定する手段と
を有することを特徴とする請求項２に記載の撮影装置。
【請求項４】
前記判定手段は、前記逆光判定手段により前記画像が逆光ではないと判定された場合に、前記画像内での明暗差の大きさを判定する明暗差判定手段を有し、
前記状態情報作成手段は、前記明暗差判定手段による判定結果を示す情報を含む状態情報を作成するように構成してあること
を特徴とする請求項２又は３に記載の撮影装置。
【請求項５】
前記判定手段は、前記撮影手段が撮影した画像内の光の色合いを判定する色合い判定手段を有し、
前記状態情報作成手段は、前記色合い判定手段が判定した前記色合いを示す情報を含む状態情報を作成するように構成してあること
を特徴とする請求項１乃至４のいずれかひとつに記載の撮影装置。
【請求項６】
前記状態情報が示す前記光の状態に応じた内容で、前記状態情報に関連付けられた前記画像データが表す画像に対して補正を施す補正手段と、
該補正手段が補正を施した画像を出力する手段と
を更に備えることを特徴とする請求項１乃至５のいずれかひとつに記載の撮影装置。
【請求項７】
前記補正手段が画像に対して施す補正を解除することを指示する解除指示を受け付ける手段と、
該手段が前記解除指示を受け付けた場合に、前記画像データが表す画像に対して前記補正手段による補正を施すことなく、前記画像を出力する手段と
を更に備えることを特徴とする請求項６に記載の撮影装置。
【請求項８】
画像を出力する画像出力装置において、
画像データ及び該画像データが表す画像に基づいた光の状態を示す状態情報を、互いに関連付けられた状態で受け付ける受付手段と、
該受付手段が受け付けた前記状態情報が示す前記光の状態に応じた内容で、前記受付手段が受け付けた前記画像データが表す画像に対して補正を施す補正手段と、
該補正手段が補正を施した画像を出力する手段と
を備えることを特徴とする画像出力装置。
【請求項９】
前記状態情報は、前記画像が逆光であるか否かを示す情報を含んでなり、
前記補正手段は、前記情報の内容に応じたガンマ補正を前記画像データが表す画像に対して施す手段を有すること
を特徴とする請求項８に記載の画像出力装置。
【請求項１０】
前記状態情報は、前記画像が逆光ではない場合の前記画像内での明暗差の大きさを示す情報を含んでなり、
前記補正手段は、前記情報の内容に応じたガンマ補正を前記画像データが表す画像に対して施す手段を有すること
を特徴とする請求項９に記載の画像出力装置。
【請求項１１】
前記状態情報は、前記画像データが表す画像内の光の色合いを示す情報を含んでなり、
前記補正手段は、前記色合いに応じたホワイトバランスの調整を前記画像データが表す画像に対して施す手段を有すること
を特徴とする請求項８乃至１０のいずれかひとつに記載の画像出力装置。
【請求項１２】
前記補正手段が画像に対して施す補正を解除することを指示する解除指示を受け付ける手段と、
該手段が前記解除指示を受け付けた場合に、前記画像データが表す画像に対して前記補正手段による補正を施すことなく、前記画像を出力する手段と
を更に備えることを特徴とする請求項８乃至１１のいずれかひとつに記載の画像出力装置。
【発明の詳細な説明】
【技術分野】
【０００１】
本発明は、撮影された画像の品質を調整することができる撮影装置、及び画像出力装置に関する。
【背景技術】
【０００２】
ビデオカメラ又はカメラ等の撮影装置で画像を撮影する場合、通常は被写体が背景よりも明るい順光の状態で画像が撮影されるが、撮影時の状況によっては被写体が背景よりも暗い逆光の状態で画像が撮影されることがある。撮影装置の撮影条件を一律に設定しておいた場合には、被写体の部分の明るさが過大となった順光の画像又は被写体の部分が暗すぎる逆光の画像等、品質が低い画像が得られる可能性がある。そこで、品質の高い画像を得るためには、撮影時の状況に応じて撮影条件を調整する必要がある。
【０００３】
特許文献１には、撮影時に逆光であるか否かを自動で判定し、判定した逆光の程度に応じて撮影条件を調整する技術が開示されている。この技術では、画像を複数の部分に分割した各部分での明るさを判定し、画像内で相対的に明るい部分の所定基準に比べた明るさの程度、画像内で相対的に暗い部分の所定基準に比べた暗さの程度、又は相対的に暗い部分の画像内での位置等に基づいて、逆光であるか否かを判定する。更にこの技術では、判定した逆光の程度に応じて、外光の光量に対応する入力強度と画像の明るさに対応する出力強度との応答特性を調整するガンマ補正を行い、ガンマ補正を行って明暗を調整した画像を作成する。例えば、逆光の場合に、入力強度と出力強度とを直線的に応答させるのではなく、入力強度が小であるほど出力強度の変化量が大きく、入力強度が大であるほど出力強度の変化量が小さくなるようにガンマ補正を行うことで、被写体が鮮明になった逆光の画像を作成することができる。
【０００４】
更に従来の撮影装置は、画像の明暗を調整するガンマ補正以外に、画像の色合いを調整するホワイトバランスの調整を行って画像を作成することができる。例えば屋外光の下と室内光の下とでは画像の色合いが異なるので、撮影装置は、光源に関わらずに画像の品質を保つために、画像中の白色が予め定められた白色になるようにホワイトバランスの調整を行い、色合いが調整された画像を作成する。
【特許文献１】特開２００３−１１６０４９号公報
【発明の開示】
【発明が解決しようとする課題】
【０００５】
しかし、特許文献１に開示された技術では、画像内の各部分の明るさに基づいて逆光であるか否かを判定しているのであって、実際に被写体がどのような状況で撮影されているかを確認しているのではないので、逆光であるか又は順光であるかを誤判定する可能性がある。順光又は逆光が誤判定された場合は、誤判定の結果に基づいてガンマ補正が行われるので、撮影の状況に合わない誤ったガンマ補正が行われ、画像の品質が低下するという問題がある。しかも、画像の作成時にガンマ補正が行われているので、画像の品質を回復させることが困難であるという問題がある。
【０００６】
また従来の撮影装置が行うホワイトバランスの調整は、予め定められた基準に合うように画像の色合いを変化させるので、不自然な画像が作成される場合があるという問題がある。例えば、夕暮れ時の風景を撮影したときに、ホワイトバランスの調整により真昼時の風景と同じ色合いになった画像が作成される場合がある。このような場合でも画像の作成時にホワイトバランスの調整が行われているので、画像の品質を回復させることが困難であるという問題がある。
【０００７】
本発明は、斯かる事情に鑑みてなされたものであって、その目的とするところは、画像の品質を撮影後に自由に調整することができる撮影装置及び画像出力装置を提供することにある。
【０００８】
また本発明の他の目的とするところは、撮影時の条件が逆光であるか否かによって影響される画像の品質を撮影後に自由に調整することができる撮影装置及び画像出力装置を提供することにある。
【０００９】
また本発明の他の目的とするところは、光源によって影響される画像の品質を撮影後に自由に調整することができる撮影装置及び画像出力装置を提供することにある。
【００１０】
また本発明の他の目的とするところは、撮影後に画像の品質を向上させることができる撮影装置及び画像出力装置を提供することにある。
【００１１】
また本発明の他の目的とするところは、画像の補正を行った場合と行わない場合とでいずれか望ましい品質の画像を選択することができる撮影装置及び画像出力装置を提供することにある。
【００１２】
また本発明の他の目的とするところは、逆光又は順光が誤判定されている場合でも、品質が低下した画像の品質を容易に回復させることができる撮影装置及び画像出力装置を提供することにある。
【００１３】
更に本発明の他の目的とするところは、不自然な色合いによって品質が低下した画像の品質を容易に回復させることができる撮影装置及び画像出力装置を提供することにある。
【課題を解決するための手段】
【００１４】
本発明に係る撮影装置は、撮影手段と、該撮影手段が撮影した画像を表す画像データを作成する手段とを備える撮影装置において、前記撮影手段が撮影した画像に基づいた光の状態を判定する判定手段と、該判定手段が判定した光の状態を示す状態情報を作成する状態情報作成手段と、前記画像データ及び前記状態情報を互いに関連付ける手段とを備えることを特徴とする。
【００１５】
本発明においては、撮影装置は、撮影した画像を表す画像データと、画像内の光の状態を示す状態情報とを作成し、作成した画像データ及び状態情報を互いに関連付ける。撮影装置は、互いに関連付けた画像データ及び状態情報を記録媒体に記録するか、又は外部へ送信する。
【００１６】
本発明に係る撮影装置は、前記判定手段は、前記撮影手段が撮影した画像内での明暗の分布状態に基づいて、前記画像が逆光であるか否かを判定する逆光判定手段を有し、前記状態情報作成手段は、前記逆光判定手段による判定結果を示す情報を含む状態情報を作成するように構成してあることを特徴とする。
【００１７】
また本発明においては、撮影装置は、撮影した画像内の明暗の分布状態に基づいて、画像が逆光であるか否かを判定し、判定結果を示す情報を含む状態情報を作成する。
【００１８】
本発明に係る撮影装置は、前記逆光判定手段は、前記画像内の各部分での明るさを判定する手段と、該手段が判定した前記明るさに基づいて、前記画像内での相対的な明暗の配置パターンを判定する手段と、該手段が判定した前記配置パターンに基づいて、前記画像が逆光であるか否かを判定する手段とを有することを特徴とする。
【００１９】
また本発明においては、撮影装置は、撮影した画像内の明暗の配置パターンに基づいて逆光であるか否かを判定する。
【００２０】
本発明に係る撮影装置は、前記判定手段は、前記逆光判定手段により前記画像が逆光ではないと判定された場合に、前記画像内での明暗差の大きさを判定する明暗差判定手段を有し、前記状態情報作成手段は、前記明暗差判定手段による判定結果を示す情報を含む状態情報を作成するように構成してあることを特徴とする。
【００２１】
また本発明においては、撮影装置は、撮影した画像が逆光ではない場合は、画像内での明暗差の大きさを判定し、判定結果を示す情報を含む状態情報を作成する。
【００２２】
本発明に係る撮影装置は、前記判定手段は、前記撮影手段が撮影した画像内の光の色合いを判定する色合い判定手段を有し、前記状態情報作成手段は、前記色合い判定手段が判定した前記色合いを示す情報を含む状態情報を作成するように構成してあることを特徴とする。
【００２３】
また本発明においては、撮影装置は、撮影した画像の色合いを判定し、判定した色合いを示す情報を含む状態情報を作成する。
【００２４】
本発明に係る撮影装置は、前記状態情報が示す前記光の状態に応じた内容で、前記状態情報に関連付けられた前記画像データが表す画像に対して補正を施す補正手段と、該補正手段が補正を施した画像を出力する手段とを更に備えることを特徴とする。
【００２５】
また本発明においては、撮影装置は、画像データ及び状態情報が互いに関連付けられた状態で、画像データが表す画像に対して、状態情報が示す光の状態に応じた補正を施し、補正を施された画像を出力する。
【００２６】
本発明に係る撮影装置は、前記補正手段が画像に対して施す補正を解除することを指示する解除指示を受け付ける手段と、該手段が前記解除指示を受け付けた場合に、前記画像データが表す画像に対して前記補正手段による補正を施すことなく、前記画像を出力する手段とを更に備えることを特徴とする。
【００２７】
更に本発明においては、撮影装置は、画像データが表す画像に対して施した補正を解除することを指示する解除指示を受け付け可能であり、解除指示を受け付けた場合には、補正を施すことなく画像を出力する。
【００２８】
本発明に係る画像出力装置は、画像を出力する画像出力装置において、画像データ及び該画像データが表す画像に基づいた光の状態を示す状態情報を、互いに関連付けられた状態で受け付ける受付手段と、該受付手段が受け付けた前記状態情報が示す前記光の状態に応じた内容で、前記受付手段が受け付けた前記画像データが表す画像に対して補正を施す補正手段と、該補正手段が補正を施した画像を出力する手段とを備えることを特徴とする。
【００２９】
本発明においては、画像出力装置は、画像データ及び状態情報を互いに関連付けた状態で受け付け、画像データが表す画像に対して、状態情報が示す光の状態に応じた補正を施し、補正を施された画像を出力する。
【００３０】
本発明に係る画像出力装置は、前記状態情報は、前記画像が逆光であるか否かを示す情報を含んでなり、前記補正手段は、前記情報の内容に応じたガンマ補正を前記画像データが表す画像に対して施す手段を有することを特徴とする。
【００３１】
また本発明においては、画像出力装置は、状態情報に含まれる逆光であるか否かを示す情報に基づいて、逆光であるか否かに応じた適切なガンマ補正を画像に対して施す。
【００３２】
本発明に係る画像出力装置は、前記状態情報は、前記画像が逆光ではない場合の前記画像内での明暗差の大きさを示す情報を含んでなり、前記補正手段は、前記情報の内容に応じたガンマ補正を前記画像データが表す画像に対して施す手段を有することを特徴とする。
【００３３】
また本発明においては、画像出力装置は、状態情報に含まれる順光である場合の画像内の明暗差の大きさを示す情報に基づいて、順光である画像の明暗差の大きさに応じた適切なガンマ補正を画像に対して施す。
【００３４】
本発明に係る画像出力装置は、前記状態情報は、前記画像データが表す画像内の光の色合いを示す情報を含んでなり、前記補正手段は、前記色合いに応じたホワイトバランスの調整を前記画像データが表す画像に対して施す手段を有することを特徴とする。
【００３５】
また本発明においては、画像出力装置は、状態情報に含まれる色合いを示す情報に基づいて、適切なホワイトバランスの調整を画像に対して施す。
【００３６】
本発明に係る画像出力装置は、前記補正手段が画像に対して施す補正を解除することを指示する解除指示を受け付ける手段と、該手段が前記解除指示を受け付けた場合に、前記画像データが表す画像に対して前記補正手段による補正を施すことなく、前記画像を出力する手段とを更に備えることを特徴とする。
【００３７】
また本発明においては、画像出力装置は、画像データが表す画像に対して施した補正を解除することを指示する解除指示を受け付け可能であり、解除指示を受け付けた場合には、補正を施すことなく画像を出力する。
【発明の効果】
【００３８】
本発明にあっては、画像の撮影時には、画像に対する補正を行わずに画像データを作成し、画像の光の状態を示す状態情報を作成し、作成した画像データ及び状態情報を互いに関連づけておいて利用可能な状態とするので、補正を行わずに画像を生成するか、又は状態情報に基づいて画像を補正する等、画像データが表す画像の品質を撮影後に自由に調整することが可能となる。
【００３９】
また本発明にあっては、撮影した画像が逆光であるか否かを判定し、判定結果を示す情報を含む状態情報を画像データと関連付けておいて利用可能な状態とするので、撮影時の条件が逆光であるか否かによって影響される画像の品質を撮影後に自由に調整することが可能となる。
【００４０】
また本発明にあっては、撮影した画像が逆光でない場合に画像内の明暗差の程度を判定し、判定結果を示す情報を含む状態情報を画像データと関連付けておいて利用可能な状態とするので、撮影時の光の明暗差の大きさによって影響される画像の品質を撮影後に自由に調整することが可能となる。
【００４１】
また本発明にあっては、撮影した画像の色合いを判定し、色合いを示す情報を含む状態情報を画像データと関連付けておいて利用可能な状態とするので、光源によって影響される画像の品質を撮影後に自由に調整することが可能となる。
【００４２】
また本発明にあっては、画像データが表す画像を出力する際に、状態情報に基づいた補正を施した画像を出力するので、補正によって撮影後に画像の品質を向上させることができる。
【００４３】
また本発明にあっては、画像データが表す画像を出力する際に、補正の解除指示を受け付けた場合は、補正を施さない画像を出力することにより、使用者は、補正を施した場合と施さない場合とで画像の品質を比較し、いずれか望ましい品質の画像を選択することができる。
【００４４】
また本発明にあっては、画像データが表す画像を出力する際に、撮影した画像が逆光であるか否かに応じた特性でガンマ補正を施して画像を出力するので、逆光での被写体を鮮明にする等、撮影時に逆光であることによって影響される画像の品質を撮影後に向上させることができる。また補正の解除指示を受け付けた場合は、ガンマ補正を施さない画像を出力することにより、逆光であるか否かが誤判定されている場合でも、誤ったガンマ補正によって品質が低下した画像の品質を容易に回復することができる。
【００４５】
また本発明にあっては、画像データが表す画像を出力する際に、撮影した画像内の明暗差の大きさに応じた特性でガンマ補正を施して画像を出力するので、過順光での被写体を鮮明にする等、撮影時の明暗差の大きさによって影響される画像の品質を撮影後に向上させることができる。また補正の解除指示を受け付けた場合は、ガンマ補正を施さない画像を出力することにより、逆光であるか否か又は画像内の明暗差の程度が誤判定されている場合でも、誤ったガンマ補正によって品質が低下した画像の品質を容易に回復することができる。
【００４６】
また本発明にあっては、画像データが表す画像を出力する際に、撮影した画像の色合いに応じた調整内容でホワイトバランスの調整を行って画像を出力するので、光源によって影響される画像の品質を撮影後に向上させることができる。また補正の解除指示を受け付けた場合は、ホワイトバランスの調整を行わずに画像を出力することにより、色合いが変化することによって不自然な画像が生成されている場合でも、不自然な色合いによって品質が低下した画像の品質を容易に回復することができる等、本発明は優れた効果を奏する。
【発明を実施するための最良の形態】
【００４７】
以下本発明をその実施の形態を示す図面に基づき具体的に説明する。
図１は、本発明の撮影装置１の内部構成を示すブロック図である。撮影装置１は、デジタル式のカメラ装置又はビデオカメラ装置である。撮影装置１は、外光を集光するレンズ１１と、レンズ１１が集光した外光を絞るアイリス１２と、レンズ１１及びアイリス１２を通過した光を受光することによって画像を撮影するＣＣＤ（撮影手段）１３１とを備えている。ＣＣＤ１３１には、ＣＣＤ１３１からの出力信号のノイズを減少させる相関二重サンプリング（ＣＤＳ：Correlated Double Sampling）、及びＣＣＤ１３１の出力強度に応じて出力信号のゲインを調整するＡＧＣ（Automatic Gain Control）を行うＣＤＳ／ＡＧＣ部１３２が接続されている。ＣＤＳ／ＡＧＣ部１３２には、ＣＤＳ／ＡＧＣ部１３２からのアナログデータをデジタルデータへ変換するＡＤＣ（Analog Digital Converter）１３３が接続されている。ＡＤＣ１３３には、ＡＤＣ１３３によってデジタル化されたＣＣＤ１３１からの出力信号を画像信号として処理し、ＣＣＤ１３１が撮影した画像を表す画像データを作成する信号処理部（作成手段）１４が接続されている。
【００４８】
信号処理部１４には、信号処理部１４が作成した画像データを記録媒体Ｍに記録する記録部１７１が接続されている。記録媒体Ｍは、磁気テープ、磁気ディスク、光ディスク又はメモリカード等の、記録部１７１に対して着脱可能な記録メディアである。記録部１７１は、記録媒体Ｍを受け付け、画像データを記録媒体Ｍに記録する。また信号処理部１４には、ＣＣＤ１３１が撮影した画像に基づいた光の情報を測定する測光回路１５が接続されている。また測光回路１５は、撮影装置１全体の動作を制御するカメラ制御部１６に接続されている。測光回路１５は、信号処理部１４から画像データを受け付け、画像データが表す画像内の光の強度及び波長等を測定し、測定結果を示す測光データをカメラ制御部１６へ出力する。
【００４９】
カメラ制御部１６は、演算を行うＣＰＵ、演算に伴う情報を記憶するＲＡＭ、及び制御プログラムを記憶するＲＯＭ等を用いてなるマイクロコンピュータで構成されている。カメラ制御部１６には、ＣＤＳ／ＡＧＣ部１３２が接続されており、カメラ制御部１６は、測光回路１５から入力された測光データに基づいてＣＤＳ／ＡＧＣ部１３２の出力ゲインを制御する。またカメラ制御部１６には、アイリス１２の動作を制御するアイリス制御回路１２１が接続されている。カメラ制御部１６は、適切な露出を行うためのアイリス１２の制御量をアイリス制御回路１２１へ出力し、アイリス制御回路１２１は、制御量に応じてアイリス１２の動作を制御する。またカメラ制御部１６には、レンズ１１の動作を制御するレンズ制御回路１１１が接続されている。カメラ制御部１６は、適切なピント合わせを行うためのレンズ１１の制御量をレンズ制御回路１１１へ出力し、レンズ制御回路１１１は、制御量に応じてレンズ１１の動作を制御する。
【００５０】
またカメラ制御部１６は、測光回路１５から入力された測光データに基づいて画像内の光の状態を判定し、本発明に係る判定手段として機能する。更にカメラ制御部１６は、判定した光の状態を示す状態情報を作成し、本発明に係る状態情報作成手段として機能する。カメラ制御部１６には、更に、記録部１７１の動作を制御する記録制御部１７が接続されている。カメラ制御部１６は、作成した状態情報を記録制御部１７へ出力し、記録制御部１７は、カメラ制御部１６から入力された状態情報を画像データに関連づけ、記録部１７１に、互いに関連付けられた画像データ及び状態情報を記録媒体Ｍに記録させる。
【００５１】
次に、本発明の撮影装置１が行う処理を説明する。図２は、本発明の撮影装置１が行う画像データ記録の処理の手順を示すフローチャートである。ＣＣＤ１３１は、外光を受光して画像を撮影する（Ｓ１１）。信号処理部１４は、ＣＣＤ１３１からの出力信号を、ＣＤＳ／ＡＧＣ部１３２及びＤＣ１３３を経て受け付け、ＣＣＤ１３１が撮影した画像を表す画像データを作成する（Ｓ１２）。信号処理部１４は画像データを測光回路１５へ出力し、測光回路１５は画像データが表す画像内の光の情報を測定する（Ｓ１３）。
【００５２】
測光回路１５は測光データをカメラ制御部１６へ出力し、カメラ制御部１６は、測光回路１５から入力された測光データに基づいて、撮影された画像に記録された光の色合いを判定する（Ｓ１４）。カメラ制御部１６は、次に、判定した色合いを示す情報を生成する（Ｓ１５）。
【００５３】
カメラ制御部１６は、次に、撮影された画像が逆光であるか否かを示す情報を含む配光情報を生成する配光情報生成処理を行う（Ｓ１６）。図３は、ステップＳ１６の配光情報生成処理のサブルーチンの手順を示すフローチャートである。カメラ制御部１６は、測光回路１５から入力された測光データに基づいて、撮影された画像内の各部分での明るさを判定し（Ｓ１６１）、判定した明るさの相対的な明暗の画像内での配置パターンを判定する（Ｓ１６２）。具体的には、カメラ制御部１６は、複数の明暗の配置パターンを記憶しておき、記憶している複数の配置パターンの中から、ステップＳ１６１で判定した明るさの相対的な明暗の差が最も大きくなる配置パターンを選択する。
【００５４】
図４は、明暗の配置パターンの例を示す模式図である。図中の無地の部分及びハッチングの部分は、相対的に明るい部分を無地の部分が示し、相対的に暗い部分をハッチングの部分が示している。図４（ａ）は画像内の上方部分が明るい配置パターンであり、図４（ｂ）は人物のバストアップに対応する形状の部分がその上方及び左右の部分よりも暗い配置パターンであり、図４（ｃ）は画像内の中央部分が暗くその周辺部分が明るい配置パターンである。図４（ａ），（ｂ），（ｃ）が示す明暗の配置パターンは、いずれも逆光の状態で画像が撮影された場合の典型的な明暗の配置パターンである。従ってこれらの明暗の配置パターンが得られた場合は逆光の状態であると判定できる。
【００５５】
図４（ｄ）は図４（ｂ）の明暗が逆転したパターンであり、図４（ｅ）は図４（ｃ）の明暗が逆転したパターンであり、いずれも順光の状態で画像が撮影された場合の明暗の配置パターンである。これらの明暗の配置パターンが得られた場合は順光の状態であると判定できる。
【００５６】
カメラ制御部１６は、次に、ステップＳ１６２で判定した明暗の配置パターンに基づいて、画像データが表す画像が逆光であるか否かを判定する（Ｓ１６３）。例えば、明暗の配置パターンが図４（ａ），（ｂ），（ｃ）が示すいずれかの配置パターンである場合は、カメラ制御部１６は、画像は逆光であると判定する。また明暗の配置パターンが図４（ｄ），（ｅ）が示すいずれかの配置パターンである場合は、カメラ制御部１６は、画像は逆光ではなく順光であると判定する。画像データが表す画像が逆光であると判定した場合は（Ｓ１６３：ＹＥＳ）、カメラ制御部１６は、画像が逆光であることを示す配光情報を生成し（Ｓ１６４）、ステップＳ１６の配光情報生成処理のサブルーチンを終了して処理をメインのルーチンへ戻す。
【００５７】
ステップＳ１６３で、画像データが表す画像は逆光ではないと判定した場合は（Ｓ１６３：ＮＯ）、カメラ制御部１６は、ステップＳ１６２で判定した明暗の配置パターンに含まれる相対的に明るい領域と暗い領域との明暗差を判定する（Ｓ１６５）。このときカメラ制御部１６は、明るい領域の平均の明るさと暗い領域の平均の明るさとの差を判定してもよく、また明るい領域の中の特定部分の明るさと暗い領域の中の特定部分の明るさとの差を判定してもよい。
【００５８】
カメラ制御部１６は、次に、判定した明暗差が所定値以上の大きさであるか否かを判定する（Ｓ１６６）。明暗差が所定値以上の大きさである場合は（Ｓ１６６：ＹＥＳ）、カメラ制御部１６は、画像データが表す画像は順光であってしかも画像内の明暗差が大きい過順光の状態であるとして、画像が過順光であることを示す配光情報を生成し（Ｓ１６７）、ステップＳ１６の配光情報生成処理のサブルーチンを終了して処理をメインのルーチンへ戻す。
【００５９】
ステップＳ１６６で、明暗差が所定値より小である場合は（Ｓ１６６：ＮＯ）、カメラ制御部１６は、画像データが表す画像は通常の順光の状態であるとして、画像が通常の順光であることを示す配光情報を生成し（Ｓ１６８）、ステップＳ１６の配光情報生成処理のサブルーチンを終了して処理をメインのルーチンへ戻す。
【００６０】
ステップＳ１６のサブルーチンが終了した後は、カメラ制御部１６は、カメラ制御部１６は、次に、ステップＳ１５で生成した色合いを示す情報、及びステップＳ１６で生成した配光情報を含んでなる状態情報を、記録制御部１７へ出力し、記録制御部１７は、入力された状態情報を画像データと関連付ける（Ｓ１７）。記録制御部１７は、記録部１７１を制御して、互いに関連付けられた状態で画像データ及び状態情報を記録媒体Ｍに記録させ（Ｓ１８）、処理を終了する。以上の如くにして、本発明の撮影装置１は、画像データを記録する。
【００６１】
記録媒体Ｍに記録された画像データは、本発明の画像出力装置で出力される。図５は、本発明の画像出力装置２の内部構成を示すブロック図である。画像出力装置２は、画像出力装置２の全体の動作を制御する制御部２１を備えている。制御部２１は、演算を行うＣＰＵ、演算に伴う情報を記憶するＲＡＭ、及び制御プログラムを記憶するＲＯＭ等を用いてなるマイクロコンピュータで構成されている。制御部２１には、記録媒体Ｍが装着可能であり、装着された記録媒体Ｍが記録しているデータを読み出す受付部（受付手段）２２が接続されている。受付部２２は、記録媒体Ｍから読み出したデータを制御部２１へ出力する。
【００６２】
制御部２１には、画像処理を行う画像処理部（補正手段）２３が接続され、画像処理部２３には、ＣＲＴディスプレイ又は液晶ディスプレイ等の表示部２４が接続されている。制御部２１は、受付部２２から入力された画像データを画像処理部２３へ出力し、画像処理部２３は画像データが表す画像に対して画像処理を行い、表示部２４は画像処理部２３で画像処理を施された画像を表示する。また制御部２１には、使用者の操作により各種の指示を受け付ける操作部２５が接続されている。
【００６３】
次に、本発明の画像出力装置２が行う処理を説明する。図６は、本発明の画像出力装置２が行う画像出力の処理の手順を示すフローチャートである。受付部２２は、互いに関連付けられて記録媒体Ｍに記録されている画像データ及び状態情報を記録媒体Ｍから読み出すことによって、画像データ及び状態情報を互いに関連付けられた状態で受け付ける（Ｓ２１）。受付部２２は、受け付けた画像データ及び状態情報を制御部２１へ出力し、制御部２１は、状態情報に含まれる色合いを示す情報に基づいて、ホワイトバランスの調整内容を決定する（Ｓ２２）。具体的には、制御部２１は、ホワイトバランスの調整によって画像内の白色が予め定められた波長分布からなる所定の白色へ変換されるように、画像内の白色に赤みが掛かる又は青みが掛かる等の画像の色合いに応じて、各波長の強度の変更量等、ホワイトバランスの調整内容を決定する。
【００６４】
制御部２１は、次に、状態情報に含まれる配光情報の内容に基づいて、画像データが表す画像内の明るさに対するガンマ補正の特性を決定する（Ｓ２３）。具体的には、制御部２１は、画像が逆光であるか、過順光であるか、又は通常の順光であることを示す配光情報の内容に対応して、ガンマ補正を行う際の画像の明るさと出力画像の明るさとの応答特性を予め記憶しており、状態情報に含まれる配光情報の内容に応じて、記憶している応答特性の中から適切な応答特性を選択する。例えば、画像が逆光である場合は、画像内の明るさが小であるほど出力画像の明るさの変化量が大きく、画像内の明るさが大であるほど出力画像の明るさの変化量が小さくなるような特性とする。また例えば画像が過順光である場合は、画像内の明るさの変化よりも出力画像の明るさの変化が小さくなるような特性とする。
【００６５】
制御部２１は、次に、決定したホワイトバランスの調整内容及びガンマ補正の特性と画像データとを画像処理部２３へ出力し、画像処理部２３は、画像データが表す画像に対して、制御部２１から入力されたホワイトバランスの調整内容及びガンマ補正の特性に従ったホワイトバランスの調整及びガンマ補正からなる補正を施す（Ｓ２４）。画像処理２３は、次に、補正を施した結果の画像を表示部２４に表示させる（Ｓ２５）。ここにおいて、被写体が鮮明になった逆光の画像等の、色合いと明暗とが調整されて画質が向上した画像が出力される。
【００６６】
制御部２１は、次に、操作部２５を使用者が操作することによる、画像に施したホワイトバランスの調整又はガンマ補正のいずれか又は両方の補正を解除することを指示する解除指示の操作部２５での受付を監視する（Ｓ２６）。解除指示の受付がない場合は（Ｓ２６：ＮＯ）、制御部２１は、画像出力の処理を終了する。操作部２５が解除指示を受け付けた場合は（Ｓ２６：ＹＥＳ）、制御部２１は、解除指示で解除を指示された補正を解除する指示を画像処理部２３へ出力し、画像処理部２３は、解除を指示された補正を画像データが表す画像に対して施していない画像を生成し（Ｓ２７）、生成した画像を表示部２４に表示させる（Ｓ２８）。制御部２１は、次に、補正を施した画像を再度表示することを指示する補正指示の操作部２５での受付を監視する（Ｓ２９）。操作部２５が補正指示を受け付けた場合は（Ｓ２９：ＹＥＳ）、制御部２１は、処理をステップＳ２４へ戻す。補正指示の操作部２５での受付がない場合は（Ｓ２９：ＮＯ）、制御部２１は、画像出力の処理を終了する。
【００６７】
以上詳述した如く、本発明においては、撮影装置１は、撮影した画像内の光の状態を判定し、光の状態を示す状態情報を作成し、画像データ及び状態情報を互いに関連付けて記録媒体Ｍに記録する。一方、画像出力装置２は、記録媒体Ｍに互いに関連付けられた状態で記録されている画像データ及び状態情報を読み出し、画像データが表す画像に対して状態情報に応じた補正を施した画像を出力し、補正を解除することを指示する解除指示を受け付けた場合は、補正を施さずに画像を出力する。
【００６８】
本発明では、画像の撮影時には、画像に対する補正を行わずに画像データを作成し、画像の光の状態を示す状態情報を作成し、作成した画像データ及び状態情報を互いに関連づけておいて利用可能な状態とするので、補正を行わずに画像を生成するか、又は状態情報に基づいて画像を補正する等、画像データが表す画像の品質を撮影後に自由に調整することが可能となる。
【００６９】
また本発明では、画像データが表す画像を出力する際に、状態情報に基づいた補正を施した画像を出力するので、補正によって画像の品質が向上する。また補正の解除指示を受け付けた場合は、補正を施さない画像を出力することにより、使用者はいずれか望ましい品質の画像を選択することができる。
【００７０】
また本発明では、撮影した画像が逆光であるか否かを判定し、判定結果を示す情報を含む状態情報を画像データと関連付けるので、撮影時の条件が逆光であるか否かによって影響される画像の品質を撮影後に自由に調整することが可能となる。また画像データが表す画像を出力する際に、逆光であるか否かに応じた特性でガンマ補正を施して画像を出力するので、逆光での被写体を鮮明にする等、撮影時に逆光であることによって影響される画像の品質を撮影後に向上させることができる。また補正の解除指示を受け付けた場合は、ガンマ補正を施さない画像を出力することにより、逆光であるか否かが誤判定されている場合でも、誤ったガンマ補正によって品質が低下した画像の品質を容易に回復することができる。
【００７１】
また本発明では、撮影した画像が逆光でない場合に、画像内の明暗差の大きさを判定し、判定結果を示す情報を含む状態情報を画像データと関連付けるので、撮影時の明暗差の大きさによって影響される画像の品質を撮影後に自由に調整することが可能となる。また画像データが表す画像を出力する際に、明暗差の大きさに応じた特性でガンマ補正を施して画像を出力するので、過順光での被写体を鮮明にする等、撮影時の明暗差の大きさによって影響される画像の品質を撮影後に向上させることができる。また補正の解除指示を受け付けた場合は、ガンマ補正を施さない画像を出力することにより、逆光であるか否か又は画像内の明暗差の大きさが誤判定されている場合でも、誤ったガンマ補正によって品質が低下した画像の品質を容易に回復することができる。
【００７２】
また本発明では、撮影した画像の色合いを判定し、色合いを示す情報を含む状態情報を画像データと関連付けるので、光源によって影響される画像の品質を撮影後に自由に調整することが可能となる。また画像データが表す画像を出力する際に、色合いに応じた調整内容でホワイトバランスの調整を行って画像を出力するので、光源によって影響される画像の品質を撮影後に向上させることができる。また補正の解除指示を受け付けた場合は、ホワイトバランスの調整を行わずに画像を出力することにより、色合いが変化することによって不自然な画像が生成されている場合でも、不自然な色合いによって品質が低下した画像の品質を容易に回復することができる。
【００７３】
なお、本実施の形態においては、画像データ及び状態情報が撮影装置１で記録媒体Ｍに記録され、画像出力装置２で記録媒体Ｍに記録された画像データ及び状態情報を読み出す形態を示したが、これに限るものではなく、撮影装置１と画像出力装置２とが有線又は無線にて互いに接続され、撮影装置１は作成した画像データ及び状態情報を画像出力装置２へ送信し、画像出力装置２は、画像データ及び状態情報を受信することによって受け付け、画像出力の処理を行う形態であってもよい。
【００７４】
また本実施の形態においては、画像データが撮影装置１で作成され、画像出力装置２で画像の出力が行われる形態を示したが、これに限るものではなく、撮影装置１が液晶ディスプレイ等の表示部と半導体メモリ又はハードディスク等の記憶部とを備え、撮影装置１が画像出力装置２の機能をも有する形態であってもよい。この場合の撮影装置１は、作成した画像データ及び状態情報を記憶部に記憶し、記憶部から読み出した画像データが表す画像に補正を施した画像を表示部に表示し、外部から受け付けた解除指示に従って補正を施さない画像を表示部に表示する処理を行う。
【図面の簡単な説明】
【００７５】
【図１】本発明の撮影装置の内部構成を示すブロック図である。
【図２】本発明の撮影装置が行う画像データ記録の処理の手順を示すフローチャートである。
【図３】ステップＳ１６の配光情報生成処理のサブルーチンの手順を示すフローチャートである。
【図４】明暗の配置パターンの例を示す模式図である。
【図５】本発明の画像出力装置の内部構成を示すブロック図である。
【図６】本発明の画像出力装置が行う画像出力の処理の手順を示すフローチャートである。
【符号の説明】
【００７６】
１  撮影装置
１３１  ＣＣＤ（撮影手段）
１４  信号処理部
１６  カメラ制御部
１７  記録制御部
２  画像出力装置
２１  制御部
２２  受付部
２３  画像処理部
２４  表示部
２５  操作部
【図１】
2006050424.tif 000003
【図２】
2006050424.tif 000004
【図３】
2006050424.tif 000005
【図４】
2006050424.tif 000006
【図５】
2006050424.tif 000007
【図６】
2006050424.tif 000008